(57)【要約】【課題】電力消費ピークが発生する時間帯以外の時間帯での電力消費量を積極的に増量し、負荷の平準化を実現する。【解決手段】負荷電流を検出する負荷電流検出手段２２と、検出された負荷電流が定格電流値を越えると負荷電流を遮断する負荷電流遮断手段１１とを有し、需要家が使用できる最大負荷電流を定格電流値以下に制限するアンペア制従量電灯用電流制限器３において、予め定められた時間帯毎に定格電流値を設定し、各時間帯で設定された定格電流値に切り換えるようにしている。【選択図】図１
2005102446.tif 000002
【特許請求の範囲】
【請求項１】
負荷電流を検出する負荷電流検出手段と、検出された負荷電流が定格電流値を越えると負荷電流を遮断する負荷電流遮断手段とを有し、需要家が使用できる最大負荷電流を定格電流値以下に制限するアンペア制従量電灯用電流制限器において、予め定められた時間帯毎に定格電流値を設定し、各時間帯で設定された定格電流値に切り換えるようにしたことを特徴とするアンペア制従量電灯用電流制限器。
【請求項２】
負荷電流を検出する負荷電流検出手段と、検出された負荷電流が定格電流値を越えると負荷電流を遮断する負荷電流遮断手段とを有し、需要家が使用できる最大負荷電流を定格電流値以下に制限するアンペア制従量電灯用電流制限器において、外部から予め定められた時間帯毎の定格電流値を入力する入力手段と、該入力手段により入力された時間帯毎の定格電流値を記憶し、設定する設定手段と、現在時刻を計時する時計手段と、前記設定手段によって設定された時間帯毎の定格電流値を表示する表示手段と、いずれの定格電流値に設定されても前記負荷電流遮断手段を遮断動作させる制御信号を調整して常に一定の信号レベルとするレベル調整手段と、前記設定手段が設定する時間帯毎の定格電流値及び前記時計手段から出力される現在時刻に基づいて、時間帯が切り換わる毎に該時間帯の定格電流値に切り換える制御手段とを備えたことを特徴とするアンペア制従量電灯用電流制限器。
【請求項３】
時間帯毎に設定された定格電流値のうちの最小の定格電流値が設定されている時間帯において、前記最小の定格電流値をそれより大きい所定の定格電流値に応急的に変更する定格緩和手段を備えたことを特徴とする請求項１又は２に記載のアンペア制従量電灯用電流制限器。
【請求項４】
前記定格緩和手段を所定の期間内に所定回数操作すると、該定格緩和手段による定格電流値の変更を無効にすることを特徴とする請求項１乃至３のいずれかに記載のアンペア制従量電灯用電流制限器。
【請求項５】
予め定められた時間帯毎に需要家が使用できる負荷電流値を設定して、各時間帯で設定された負荷電流値に切り換えると共に、需要家が消費した電力量を前記時間帯別に計量して、電力を供給するようにした電力供給方法。
【請求項６】
予め定められた時間帯毎に需要家が使用できる負荷電流値を設定して、各時間帯で設定された負荷電流値に切り換えると共に、前記各時間帯で設定された負荷電流値を各時間帯の電気料金単価に応じた換算比により換算したものとし、需要家が消費した電力量を時間帯の区分なしで計量して、電力を供給するようにした電力供給方法。
【請求項７】
予め定められた時間帯毎に需要家が使用できる負荷電流値を設定して、各時間帯で設定された負荷電流値に切り換えると共に、需要家が消費した電力量を、設定された負荷電流値以下と超過で別々に計量して、電力を供給するようにした電力供給方法。
【発明の詳細な説明】
【技術分野】
【０００１】
本発明は、需要家が使用できる定格電流値を設定するアンペア制従量電灯用電流制限器、及び需要家が使用できる負荷電流値を設定することによる電力供給方法に関するものである。
【背景技術】
【０００２】
従来、アンペア制従量電灯用電流制限器は、当該電力会社管内の電灯需要家の最大使用量を把握し、設備を整えるために、更には、需要家が定格電流値（電力会社との契約値）を越えて消費し続けると、契約値オーバーとして電流を遮断し、電流を契約値以下に抑えるように促す機器として、使用されてきた。ところが近年、電気事業における効率化の手段として、電力の小売り自由化などの競争原理が様々な形で導入され始め、電力会社以外の電力供給事業者（独立系発電事業者と呼ばれる）が設立され、一定規模の電力を供給するようになってきた。
【０００３】
このため、電力会社はこの競争に生き残るべく様々な施策を打ち出しているが、その重要な一つに、如何に「負荷の平準化（負荷変動の少ない電力の使われ方に変えること）を図り、かつ、平均負荷率（設備利用率）を上げる」かがある。これらの具体策として、既に、季節別に、或いは平日と休日別に、或いは、１日の時間帯別に電気料金の単価を変えて電気の使われ方をコントロールしようとする「時間帯別料金制」或いは「季節別・時間帯別料金制」があり、各種の平準化メニューが採用され、今日に至っている。
【０００４】
一方、従来の電流制限器には、遮断時限の異なる複数の開閉機構を有し、遮断時限の遅い開閉機構に停電を避けねばならない負荷を接続するようにしたもの（特許文献１）や、制御局から伝送される定格電流値変更データを受信して、定格電流値を切り換えるようにしたもの（特許文献２）があった。
【特許文献１】特開昭５０−５４８５４号公報
【特許文献２】特開平４−８８８３２号公報
【発明の開示】
【発明が解決しようとする課題】
【０００５】
しかしながら、導入された料金制は、全てインセンティブ料金導入による負荷移行、谷間需要の創生、需要開拓であり、料金面からのみの平準化施策であって、負荷の平準化を実現するのには不充分なものであった。
【０００６】
また、従来の電流制限器は、電力消費ピークが発生する時間帯（例えば昼間時間帯）での電力消費量を規制するものであり、電力消費量が低減する時間帯（例えば夜間時間帯）での電力消費量を積極的に増量しようとするものではないので、負荷の平準化に使えるものではなかった。
【課題を解決するための手段】
【０００７】
請求項１に記載の本発明は、負荷電流を検出する負荷電流検出手段と、検出された負荷電流が定格電流値を越えると負荷電流を遮断する負荷電流遮断手段とを有し、需要家が使用できる最大負荷電流を定格電流値以下に制限するアンペア制従量電灯用電流制限器において、予め定められた時間帯毎に定格電流値を設定し、各時間帯で設定された定格電流値に切り換えるようにしたアンペア制従量電灯用電流制限器とするものである。
【０００８】
請求項２に記載の本発明は、負荷電流を検出する負荷電流検出手段と、検出された負荷電流が定格電流値を越えると負荷電流を遮断する負荷電流遮断手段とを有し、需要家が使用できる最大負荷電流を定格電流値以下に制限するアンペア制従量電灯用電流制限器において、外部から予め定められた時間帯毎の定格電流値を入力する入力手段と、該入力手段により入力された時間帯毎の定格電流値を記憶し、設定する設定手段と、現在時刻を計時する時計手段と、前記設定手段によって設定された時間帯毎の定格電流値を表示する表示手段と、いずれの定格電流値に設定されても前記負荷電流遮断手段を遮断動作させる制御信号を調整して常に一定の信号レベルとするレベル調整手段と、前記設定手段が設定する時間帯毎の定格電流値及び前記時計手段から出力される現在時刻に基づいて、時間帯が切り換わる毎に該時間帯の定格電流値に切り換える制御手段とを備えたアンペア制従量電灯用電流制限器とするものである。
【０００９】
請求項３に記載の本発明は、時間帯毎に設定された定格電流値のうちの最小の定格電流値が設定されている時間帯において、前記最小の定格電流値をそれより大きい所定の定格電流値に応急的に変更する定格緩和手段を備えた請求項１又は２に記載のアンペア制従量電灯用電流制限器とするものである。
【００１０】
請求項４に記載の本発明は、前記定格緩和手段を所定の期間内に所定回数操作すると、該定格緩和手段による定格電流値の変更を無効にする請求項１乃至３のいずれかに記載のアンペア制従量電灯用電流制限器とするものである。
【００１１】
請求項５に記載の本発明は、予め定められた時間帯毎に需要家が使用できる負荷電流値を設定して、各時間帯で設定された負荷電流値に切り換えると共に、需要家が消費した電力量を前記時間帯別に計量して、電力を供給するようにした電力供給方法とするものである。
【００１２】
請求項６記載の本発明は、予め定められた時間帯毎に需要家が使用できる負荷電流値を設定して、各時間帯で設定された負荷電流値に切り換えると共に、前記各時間帯で設定された負荷電流値を各時間帯の電気料金単価に応じた換算比により換算したものとし、需要家が消費した電力量を時間帯の区分なしで計量して、電力を供給するようにした電力供給方法とするものである。
【００１３】
請求項７に記載の本発明は、予め定められた時間帯毎に需要家が使用できる負荷電流値を設定して、各時間帯で設定された負荷電流値に切り換えると共に、需要家が消費した電力量を、設定された負荷電流値以下と超過で別々に計量して、電力を供給するようにした電力供給方法とするものである。
【発明の効果】
【００１４】
請求項１〜７に記載の本発明によれば、電力消費ピークが発生する時間帯以外の時間帯での電力消費量を積極的に増量することができ、負荷の平準化を実現することができる。例えば、需要家としては、日中の電力消費ピークが発生する時間帯の定格電流値又は負荷電流値を冷蔵庫とかビデオテープレコーダーの予約、録画等の生活のべースとなる家電製品が維持できる最小限の電流値に抑えることができ、更に、電気料金単価の安価な時間帯の定格電流値又は負荷電流値を上げて、電流容量の大きい大型家電製品を使えようにできるため、電気料金の大幅な低減化が図れると共に、電力供給事業者としても、電力消費ピークが発生する時間帯でのより正確な需要家全体の総消費量を把握できるようになるため、木目細かな負荷の平準化策を実施することができるようになる。また、電源確保が容易でない独立系発電事業者にとっては、電力消費ピークが発生する時間帯での１軒の需要家の電力消費を低く抑えることにより、より多くの顧客を確保することが可能になり、安定な電力供給を達成することができる。
【００１５】
請求項３に記載の本発明によれば、何らかの不測の事態が発生し、電力消費ピークが発生する時間帯に電気を使わざるを得なくなっても、需要家の切羽詰った要望に応じることができる。
【００１６】
請求項４に記載の本発明によれば、需要家の都合による定格電流値の変更を制限することができ、電力供給に悪影響を与えることを避けることができる。
【００１７】
請求項５に記載の本発明によれば、時間帯別電力需給用複合計器を使用することにより負荷の平準化に寄与することができる。
【００１８】
請求項６に記載の本発明によれば、時間帯別電力需給用複合計器を使用しなくとも、時間帯の区分なしの既設の電力量計を使用することにより負荷の平準化に寄与することができる。
【００１９】
請求項７に記載の本発明によれば、設定された負荷電流値を超過した電力量について、別の電気料金単価にて供給することができる。
【発明を実施するための最良の形態】
【００２０】
本発明を実施するための最良の形態は後述する実施例１〜３に記載の通りである。
【実施例１】
【００２１】
図１は本発明の一実施例に係るアンペア制従量電灯用電流制限器を含む回路構成を示すブロック図である。
【００２２】
図１において、配電線１の電源側には、時間帯別の電力需給用複合計器である電力量計２が接続され、電力量計２の負荷側の配電線１には本発明による電流制限器３が接続されている。電力量計２は、時間帯別（電力消費ピークが発生する昼間時間帯、朝晩の軽負荷時間帯及び負荷が低減する夜間時間帯、但し休日は軽負荷時間帯及び夜間時間帯）に電力量を計量するものであり、電源回路部４、計量部５、外部操作部６、記憶部７、制御部８、時計回路９及び表示部１０を有する。制御部８は、時計回路９からの現在時刻により時間帯や平日休日の別を識別し、計量部５により計量された電力量を時間帯別に区分して積算し、記憶部７に時間帯別の電力量として記憶させる。表示部１０は時間帯別の電力量を時間帯別に表示器１０ａ，１０ｂ, １０ｃにより表示する。
【００２３】
電流制限器３は、電流遮断機構部１１（引き外しコイル１２、遮断接点１３、引き外しコイル励磁回路部１４から成る）、電源回路部１５、定格緩和用操作部１６、表示回路部１７、入力部１８、制御部１９、記憶部２０、時計回路２１、変流器ＣＴを含む電流検出部２２、プログラマブル増幅回路部２３及び時延回路部２４を有する。
【００２４】
図２は３時間帯別料金制メニューの一例を示し、電流制限器３はこの３時間帯別料金制メニューに従うように設定されている。一日は、負荷状況に応じて、平日では三つの時間帯（昼間時間帯、軽負荷時間帯及び夜間時間帯）に、休日では二つの時間帯（軽負荷時間帯及び夜間時間帯）に分けられ、時間帯毎にそれぞれ異なる定格電流値が設定され、電気料金単価Ａ〜Ｃが定められている（Ａ＞Ｂ＞Ｃ）。図３は図２の場合の平日の定格電流値（使用可能な最大負荷電流値）の時間経過に伴う変化状況を示す図である。図４は図２の場合の休日の定格電流値（使用可能な最大電流値）の時間経過に伴う変化状況を示す図である。需要家は定格電流値以下の範囲で使用することができる。
【００２５】
電流制限器３は、図３或いは図４に示されるように時間帯が切り換わる毎に設定された定格電流値に切り換え、当該需要家が使える負荷電流の大きさを変えて、常に当初双方で契約した定格電流値以下に制限する。
【００２６】
入力部１８は電力会社封印下に有り、電力会社は、この入力部１８により当該需要家が選択した時間帯別の定格電流値（契約値）を制御部１９に入力する。制御部１９はこれらの定格電流値を記憶部２０に記憶させ、設定する。この後、入力部１８は電力会社により封印される。
【００２７】
不図示のハンドルが上げられる（機種により下げられるものもある）と、電流制限器３は機能し始め、制御部１９は現在時刻が属する時間帯、例えば昼間時間帯であることを識別して電流制限器３の定格電流値を昼間時間帯の最大負荷電流値である５Ａ（一例）に切り換える指示信号をプログラマブル増幅回路部２３に出力し、その増幅率を５Ａに対応した所定の増幅率に設定する。以下、時間帯が切り換わる毎にプログラマブル増幅回路部２３の増幅率を切り換えて、いずれの定格電流値が設定されてもプログラマブル増幅回路部２３から出力される制御信号（遮断動作用）が同一の信号レベルになるように調整する。これにより、負荷電流の大小にかかわらず、各時間帯の定格電流値で電流遮断機構部１１に遮断動作させることができる。なお、制御部１９は、外付け部品或いは回路を含むシングルチップマイクロコンピュータ、又は、標準ロジックＩＣの組み合わせ等により構成される。
【００２８】
定格緩和用操作部１６の一例を図５に示す。スイッチ２５は需要家が筐体の外側から操作できるものであり、波形整形回路２６はスイッチ２５の開閉により生じる電位差の変化を後段の回路がチャタリング誤動作しないように波形整形し、きれいな方形波信号として出力するものである。所定時間検出回路２７は、波形整形回路２６のハイレベルの出力（ＯＮ信号）が継続して所定時間出力され続けないと定格緩和信号を出力しないもので、その回路構成の一例は図５に示される通りのものである。なお、波形整形回路２６及び所定時間検出回路２７は、制御部１９がマイクロコンピュータによって構成される場合には、そのマイクロコンピュータによりプログラムにて行うもので構成することができる。
【００２９】
図６により定格緩和用操作部１６の動作を以下に説明する。需要家が、例えば、風邪等で夏季の昼間時間帯に家で安静にしていなければならなくなり、直近の昼間時間帯の定格電流値を増加させたい場合に、スイッチ２５を押し続けると、抵抗Ｒ1 によってローレベルに固定されていた電位はハイレベルに引き上げられ、波形整形回路２６を経てＯＮ信号が次段の所定時間検出回路２７に伝えられる。
【００３０】
ＯＮ信号はインバータＩｎ1 によってローレベルに変換され、オアゲートＧ1 の一方の入力端子に入力される。オアゲートＧ1 の他方の入力端子は、この時ＲＳフリップフロップ２８がリセット状態であるので、既にローレベルに固定されている。このため、オアゲートＧ1 の出力はローレベルとなり、カウンタ２９はリセット状態を解除され、時計信号を計数できる状態となる。時計信号として、例えば、０．１秒間隔の信号を用いると、カウンタ２９は時計信号の立ち下がりで動作し、計数を行う。カウンタ２９が時計信号を１０個数える（所定時間経過：下限１秒）と、出力Ｑ1 〜Ｑ4 が数値設定回路３０で設定された数値と一致するので、一致回路３１の出力はハイレベルに反転し、アンドゲートＧ2 ，Ｇ3 にそれぞれ入力する。
【００３１】
インバータＩｎ2 によって反転された時計信号はアンドゲートＧ3 に入力されるので、アンドゲートＧ3 の２入力はともにハイレベルとなり、その出力は、反転時計信号がローレベルになるまでハイレベルとなり、このハイレベルの信号が定格緩和信号として出力される。
【００３２】
１１発目の時計信号が立ち上がると、既にハイレベルとなった一致回路３１の出力が入力されているアンドゲートＧ2 の出力はハイレベルとなり、ＲＳフリップフロップ２８をセットする。これにより、ＲＳフリップフロップ２８のＱ出力はハイレベルとなって、遅延回路３２を経て所定の遅延時間後にオアゲートＧ1 に入力し、その出力をハイレベルにさせて、カウンタ２９の計数を停止させると共に、そのすべての出力Ｑ1 〜Ｑ4 をローレベルにリセットする。一致回路３１の出力はローレベルとなり、アンドゲートＧ2 の出力もローレベルとなるが、ＲＳフリップフロップ２８のＱ出力はハイレベルに保持されるので、カウンタ２９はリセット状態に保持され、スイッチ２５がオンであるにもかかわらず、定格緩和操作として受け付けることはない。
【００３３】
定格緩和信号が発生されたことを表示回路部１７により表示や音等で表示すると、需要家はスイッチ２５から手を離して、オフにするので、ＯＮ信号は消滅する。その後、昼間時間帯から軽負荷時間帯に切り換わる際に、時間帯切換信号がＲＳフリップフロップ２８のリセット端子に入力すると、ＲＳフリップフロップ２８のＱ出力はローレベルとなり、波形整形回路２６からのＯＮ信号を受け付けることが可能な状態となる。
【００３４】
また、仮に、何かの拍子に、スイッチ２５が瞬間オンとなることがあっても、そのオン時間がカウンタ２９による１０個の時計信号の計数時間より短い場合には、定格緩和信号が発生する前にリセット状態となるので、定格緩和信号は発生しない。
【００３５】
定格緩和用操作部１６による定格緩和操作が行われることによって、定格緩和信号が発生すると、制御部１９はこれを記憶回路２０に記憶させ、直近の昼間時間帯の定格電流値を、予め定められた電流値に、例えば通常時の定格電流値が５Ａであれば、非常時の定格電流値としての２０Ａに、増加するようにする。この変化状況は図７に示される通りとなる。
【００３６】
次に、電流制限器３の定格電流値切換動作を図８を参照しながら説明する。時計回路２１の現在時刻により制御部１９は時間帯を切り換える時刻であることを判別すると、時間帯切換信号を発生し、定格電流値切換動作を実行する。ステップＳ１で夜間時間帯であるかどうかを識別し、夜間時間帯であれば、ステップＳ２に進んで定格電流値を夜間時間帯の定格電流値として設定されている５０Ａに切り換える。ステップＳ３で軽負荷時間帯であることを識別すると、ステップＳ４に進んで定格電流値を軽負荷時間帯の定格電流値として設定されている３０Ａに切り換える。ステップＳ５で昼間時間帯であることを識別すると、ステップＳ６に進んで定格緩和信号が有るかどうかを判別する。定格緩和信号がない場合には、ステップＳ７に進んで定格電流値を昼間時間帯の通常時の定格電流値として設定されている５Ａに切り換える。定格緩和信号が有る場合には、ステップＳ８に進んで定格電流値を昼間時間帯の非常時の定格電流値として設定されている２０Ａに切り換える。
【００３７】
いずれの時間帯においても、設定された定格電流値を越える負荷電流が配電線１を流れると、電流検出部２２を介してプログラマブル増幅回路部２３より所定レベル以上の制御信号が出力され、時延回路部２４により制御信号のレベルに応じた遅れ時間をもって電流遮断機構部１１を動作させ、遮断接点１３を遮断させる。
【００３８】
図９は、定格緩和用操作部１６を所定の期間（例えば１年）内に所定回数（例えば３回）操作すると、定格緩和用操作部１６による昼間時間帯の定格電流値の変更を無効にする定格緩和無効回路の回路構成の一例を示すブロック図であり、この定格緩和無効回路は制御部１９に含まれるものであり、制御部１９がマイクロコンピュータによって構成される場合には、そのマイクロコンピュータによりプログラムにて行うもので構成することができる。図１０はその各部の動作タイミングを示すタイミングチャートである。
【００３９】
図９において、期間信号としては電流制限器３の使用開始時、或いは年度の開始時等に発生される期間信号（例えば１回／年）が用いられる。期間信号によりカウンタ３２がリセットされると共に、ＲＳフリップフロップ３３がセットされて、カウンタ３２が計数できるようにナンドゲートＧ4 の一方の入力をハイレベルに保持する。定格緩和用操作部１６で定格緩和信号が発生すると、インバータＩｎ3 を経てナンドゲートＧ4 の他方の入力となる。定格緩和信号によりインバータＩｎ3 からローレベルのパルスが出力され、ナンドゲートＧ4 からハイレベルのパルスが出力されて、カウンタ３２は１を計数する。定格緩和操作の２回目ではスイッチ２５を押す時間が所定の時間αより短いので、定格緩和信号は発生しない状態が図１０に示されている。定格緩和操作の３回目及び４回目では、同様にしてカウンタ３２が計数し、計数値が３となる。
【００４０】
カウンタ３２の計数値が３になると、数値設定回路３４に定格緩和が当該期間内に認められる最大の回数として３が予め設定されているので、一致回路３５はカウンタ３２の計数値が数値設定回路３４の数値と等しいことを検出し、ハイレベルの信号を出力する。このハイレベルの信号は遅延回路３６によって遅延時間βだけ遅延された後、ワンショット回路３７により一定パルス幅を持った１発のパルスに変換され、ＲＳフリップフロップ３３をリセットし、そのＱ出力をローレベルにする。これにより、ナンドゲートＧ4 の一方の入力はローレベルとなるので、その出力は定格緩和信号の入力の有無に関係なくハイレベルに保持され、カウンタ３２がカウントアップすることはない。したがって、その以後の定格緩和信号は受け付けられない。この状態は、新しい年度に入ったことにより発生される期間信号がカウンタ３２及びＲＳフリップフロップ３３をリセットするまで継続される。
【００４１】
以上説明した実施例１では、電気料金メニューに対応した電力需給用複合計器と共に本発明によるアンペア制従量電灯用電流制限器を併用して、つまり、電力量計２と電流制限器３を全く同一の料金制メニューの下で連携させて、負荷の平準化を更に促している。
【００４２】
電流制限器３で設定された定格電流値以下の範囲内で需要家が消費した電力量は、電力量計２により時間帯別に計量され、前回検針日から今回検針日までの時間帯別の電力量が表示される。そして、時間帯別の合計量に対して電気料金が決定される。
【００４３】
現行料金制下では、時間帯別に１ｋＷｈ当たりの従量料金単価が設定されているが、終日、定格電流値一定で時間帯別の計量を行っているため、需要家に負荷平準化につながる負荷使用を促すものは、時間帯別の料金格差だけとなる。これに対して、本発明によるアンペア制従量電灯用電流制限器の導入は、時間帯別の料金格差だけでなく、最大電力消費量にも時間帯別に増減を付けることが可能なので、負荷平準化に関して強力な動機付けを需要家に持たせることができる。
【実施例２】
【００４４】
実施例２は、電気料金メニューに対応した電力需給用複合計器（時間帯別）を用いることなく、時間帯の区分のない既設の電力量計と、本発明によるアンペア制従量電灯用電流制限器を使用して、負荷の平準化を更に促すものである。
【００４５】
図１１に示されるように、各時間帯の料金単価（円／ｋＷｈ）が、例えば、昼間時間帯で３２．９３円、軽負荷時間帯で２１．９５円、夜間時間帯で７．５０円に、それぞれ定められている場合を考えると、各時間帯の単価概算比率は４．４：２．９：１．０であり、単価概算比率の逆比は１．０：１．５：４．４である。そこで、各時間帯で計量された電力量を前記逆比で換算し、この換算量を累積すれば、従量料金単価は時間帯に関係なく一律になり、電力量を時間帯の区分のない既設の電力量計により計量することができるようになる。各時間帯で計量された電力量を前記逆比で換算する代わりに、各時間帯での定格電流値の比を前記逆比に等しくなるように定めることにより、ほぼ等価の結果が得られる。つまり、このように計量された電力量に対しての電気料金は、実施例１で計量された電力量に対しての電気料金とそれほどの違いは出ない。
【００４６】
図１１の料金単価の例の場合、各時間帯の定格電流値は、昼間時間帯で６．７Ａ、軽負荷時間帯で１０Ａ、夜間時間帯で２９．３Ａとなる。但し、昼間時間帯の電力消費を極力抑え、夜間時間帯の電力消費を増量させるという戦略的意図の元に、図１１の例では、昼間時間帯の定格電流値を５Ａ、夜間時間帯の定格電流値を３０Ａとするのが好ましい。この変化状況は図１２に示される通りとなる。
【００４７】
実施例２では、図１において、プログラマブル増幅回路部２３の各時間帯に於ける増幅率は、各時間帯毎の電気料金の単価概算比率の逆比に応じて、かつ、戦略的意図を考慮して、設定される。その他の部分は実施例１と同様である。
【００４８】
実施例２によれば、負荷の平準化を目的とした新料金制の導入に際しても、需要家に取り付けられている電流制限器を本発明による電流制限器に取り換えるだけで、或いは、新しく取り付けるだけで、負荷の平準化を促進することができる。
【実施例３】
【００４９】
実施例１及び２では、アンペア制従量電灯用電流制限器を使用して、負荷電流値がその定格電流値を超過した時には、負荷電流を遮断するものであるが、定格電流値に相当する所定の負荷電流値を超過した時の超過電力量に対して料金単価を極めて高く設定し、需要家が心理的に超過電力量を消費できないようにすることによっても、負荷の平準化を促進することができる。
【００５０】
この場合、電力量計２の他に、超過電力量計を設け、この超過電力量計により、図１３に示されるように、基準電力（所定の負荷電流値での電力）を超過した場合の超過電力を計量する。そして、超過電力量計を時間帯別のものにするのであれば、図１において、電流制限器３から電流遮断機構部１１及び時延回路部２４を除いた回路により超過電力量計の制御回路を構成する。
【００５１】
なお、昼間時間帯の電力消費を極力抑え、夜間時間帯及び軽負荷時間帯の電力消費を増量させるという戦略的意図の元では、昼間時間帯でのみ、超過電力量計により超過電力量を計量するようにして、夜間時間帯及び軽負荷時間帯では電力量計２により計量する。
【００５２】
また、実施例１において、図７に示される、昼間時間帯の定格緩和時（非常時）の５Ａを超過し２０Ａまでの範囲の電力消費を超過電力量計により計量し、別途高く設定された料金単価により電気料金を決定するようにしても良い。
【産業上の利用可能性】
【００５３】
電力供給事業者が需要家に電力を供給する際に係わる技術である。
【図面の簡単な説明】
【００５４】
【図１】本発明の実施例１であるアンペア制従量電灯用電流制限器及び一緒に使用される電力量計の回路構成の一例を示すブロック図である。
【図２】実施例１で使用される時間帯別電気料金メニューの例を示す図である。
【図３】実施例１に係る平日の定格電流値の時間経過に伴う変化状況を示す図である。
【図４】実施例１に係る休日の定格電流値の時間経過に伴う変化状況を示す図である。
【図５】図１の定格緩和用操作部の回路構成の一例を示すブロック図である。
【図６】図５の各部の動作のタイミングを示すタイミングチャートである。
【図７】実施例１に係る、昼間時間帯の非常時を含む平日の定格電流値の時間経過に伴う変化状況を示す図である。
【図８】実施例１における電流制限器の動作を示すフローチャートである。
【図９】実施例１における定格緩和無効回路の回路構成の一例を示すブロック図である。
【図１０】図９の各部の動作のタイミングを示すタイミングチャートである。
【図１１】実施例２における定格電流値の設定例を示す図である。
【図１２】実施例２に係る平日の定格電流値の時間経過に伴う変化状況を示す図である。
【図１３】実施例３に係る超過電力量計が計量する部分を示す図である。
【符号の説明】
【００５５】
１  配電線
２  電力量計
３  電流制限器
５  計量部
７  記憶部
８  制御部
９  時計回路
１０  表示部                                                                    １１  電流遮断機構部
１６  定格緩和用操作部
１７  表示回路部
１８  入力部
１９  制御部
２０  記憶部
２１  時計回路
２２  電流検出部
２３  プログラマブル増幅回路部
２４  時延回路部
２５  スイッチ
２７  所定時間検出回路
【図１】
2005102446.tif 000003
【図２】
2005102446.tif 000004
【図３】
2005102446.tif 000005
【図４】
2005102446.tif 000006
【図５】
2005102446.tif 000007
【図６】
2005102446.tif 000008
【図７】
2005102446.tif 000009
【図８】
2005102446.tif 000010
【図９】
2005102446.tif 000011
【図１０】
2005102446.tif 000012
【図１１】
2005102446.tif 000013
【図１２】
2005102446.tif 000014
【図１３】
2005102446.tif 000015